(57)【特許請求の範囲】
【請求項１】
電池駆動が可能な通信装置であって、
装着されている電池を認証する認証手段と、
無線ネットワークを介して外部装置と通信する無線通信手段とを有し、
前記無線通信手段は、
前記通信装置を消費電力の少ない第１の状態から、前記第１の状態よりも消費電力の多い第２の状態に移行させるための移行信号を出力することが可能であり、ここで前記第１の状態は、前記無線通信手段による前記外部装置との通信が可能であり、
前記無線ネットワークを介して、前記認証手段による認証の結果を前記第１の状態で前記外部装置に送信可能であることを特徴とする通信装置。
【請求項２】
前記無線通信手段は、前記第１の状態で前記外部装置から前記無線ネットワークを介して所定のリクエストを受信したことに応じて、前記移行信号を出力することを特徴とする請求項１に記載の通信装置。
【請求項３】
前記無線通信手段は、前記第１の状態でビーコンを出力可能であり、
前記所定のリクエストは、前記ビーコンを受信した外部装置から送信される、ことを特徴とする請求項２に記載の通信装置。
【請求項４】
前記認証手段は、前記第２の状態で前記電池を認証でき、前記第１の状態で前記電池を認証できないことを特徴とする請求項１乃至３のいずれか１項に記載の通信装置。
【請求項５】
前記通信装置を前記第２の状態に移行させた後、前記認証手段は前記電池を認証し、前記無線通信手段に前記認証の結果を与えることを特徴とする請求項１乃至４のいずれか１項に記載の通信装置。
【請求項６】
前記認証手段が前記無線通信手段に前記認証の結果を与えた後、前記通信装置は前記第１の状態に移行することを特徴とする請求項５に記載の通信装置。
【請求項７】
前記認証手段が前記無線通信手段に前記認証の結果を与えて前記通信装置が前記第１の状態に移行した後、前記無線通信手段は前記通信装置を前記第２の状態に移行させることなく、前記認証の結果を前記外部装置に送信することを特徴とする請求項６に記載の通信装置。
【請求項８】
前記無線通信手段は、前記認証の結果を前記第１の状態で前記外部装置に送信した後、前記外部装置からの所定の信号を受信した場合、前記移行信号を出力することを特徴とする請求項１乃至７のいずれか１項に記載の通信装置。
【請求項９】
前記所定の信号は、前記外部装置において前記認証の結果が通知された後に前記外部装置から送信されることを特徴とする請求項８に記載の通信装置。
【請求項１０】
無線ネットワークを介して外部装置と通信する無線通信手段を有し、電池駆動が可能な通信装置の制御方法であって、
装着されている電池を認証する認証工程と、
前記通信装置を消費電力の少ない第１の状態から、前記第１の状態よりも消費電力の多い第２の状態に移行させるための移行信号を出力する出力工程と、ここで前記第１の状態は、前記無線通信手段による前記外部装置との通信が可能であり、
前記無線ネットワークを介して、前記認証工程による認証の結果を前記第１の状態で前記外部装置に送信する送信工程と、を有することを特徴とする通信装置の制御方法。
【請求項１１】
コンピュータを、請求項１乃至９のいずれか１項に記載された通信装置の各手段として機能させるためのプログラム。
【発明の詳細な説明】
【技術分野】
【０００１】
本発明は、通信装置、通信装置の制御方法およびプログラムに関する。
【背景技術】
【０００２】
デジタルカメラなどの撮像装置においては、撮像装置の動作を保証するために、電池の認証機能を備えているものがある。電池の認証機能を備えた撮像装置では、ユーザが電池を撮像装置に挿入すると、撮像装置内で挿入された電池の認証が実施される。電池の認証結果は撮像装置の表示部に表示され、ユーザに報知される。したがって、ユーザは表示された認証結果を確認し、その後の撮像装置の動作を設定することが可能である。
【０００３】
一方で、デジタルカメラ等の撮像装置では、各種データを他の撮像装置と共有するために、Ｂｌｕｅｔｏｏｔｈ（登録商標）、無線ＬＡＮなどの無線機能を備えているものがある。これにより、ＰＣを介さずに装置同士で画像など各種データの送受信が可能となっている。また、無線機能を利用することにより、離れた場所にある携帯端末などの電子機器から撮像装置を操作することも可能となっている。
【０００４】
また、撮像装置以外にも、無線機能を備えた電子機器での各種認証システムにおいて、認証結果や認証後の各種データの報知方法など、ユーザの利便性を向上させるための技術が提案されている。例えば、特許文献１では、電子キーの電池消耗時において、ユーザがその旨を確実に知ることができ、且つ、車載機器を制御可能な状態に迅速に復帰し得る電子キーシステムが開示されている。また、特許文献２では、発着信機能を含む機能を実現する機能実現手段を具備した機器において、携帯認証キーが具備する無線ＩＣタグから読み出した情報と機器に登録済みの情報とが一致した場合に、機能実現手段の機能制限を解除することが開示されている。
【先行技術文献】
【特許文献】
【０００５】
【特許文献１】特開２００９−２０３６４１号公報
【特許文献２】特開２００８−１４１５５５号公報
【発明の概要】
【発明が解決しようとする課題】
【０００６】
上述のように、無線機能を備えた撮像装置においては、無線通信を利用して、離れた場所にある電子機器から起動することができる。しかしながら、撮像装置が電池認証機能を有していた場合、ユーザは電池認証の結果を撮像装置でしか確認することが出来なかった。そのため、撮像装置から離れた位置から電子機器を用いて撮像装置を起動した場合には、ユーザは電池認証の結果を得ることができず、利便性が低下していた。
【０００７】
本発明は、上記の課題に鑑みてなされたものであり、電子機器における電池認証結果を無線通信の対向機となる他の電子機器上で確認可能にすることを目的とする。
【課題を解決するための手段】
【０００８】
上記の目的を達成するための本発明の一態様による通信装置は、
電池駆動が可能な通信装置であって、
装着されている電池を認証する認証手段と、
無線ネットワークを介して外部装置と通信する無線通信手段とを有し、
前記無線通信手段は、
前記通信装置を消費電力の少ない第１の状態から、前記第１の状態よりも消費電力の多い第２の状態に移行させるための移行信号を出力することが可能であり、ここで前記第１の状態は、前記無線通信手段による前記外部装置との通信が可能であり、
前記無線ネットワークを介して、前記認証手段による認証の結果を前記第１の状態で前記外部装置に送信可能である。
【発明の効果】
【０００９】
本発明によれば、電子機器における電池認証結果を無線通信の対向機となる他の電子機器上で確認することができ、ユーザの利便性を向上させることができる。
【図面の簡単な説明】
【００１０】
【図１Ａ】実施形態による撮像装置の構成例を示すブロック図。
【図１Ｂ】（ａ）は、実施形態による携帯端末の構成例を示すブロック図、（ｂ）は、実施形態による撮像装置と携帯端末で構成されるシステムを示す図。
【図２】実施形態における撮像装置内の無線通信に係る構成を説明する図。
【図３Ａ】第１実施形態における撮像装置の動作を説明するフローチャート。
【図３Ｂ】第１実施形態における携帯端末の動作を説明するフローチャート。
【図４】第１実施形態における携帯端末で表示される内容の例を示す図。
【図５】第１実施形態における撮像装置で表示される内容の例を示す図。
【図６Ａ】第２実施形態における撮像装置の動作を説明するフローチャート。
【図６Ｂ】第２実施形態における携帯端末の動作を説明するフローチャート。
【図７】第２実施形態における携帯端末で表示される内容の例を示す図。
【図８】第３実施形態における撮像装置の動作を説明するフローチャート。
【図９】第３実施形態における撮像装置で表示される内容の例を示す図。
【図１０】第４実施形態における撮像装置の動作を説明するフローチャート。
【図１１Ａ】第５実施形態における撮像装置の動作を説明するフローチャート。
【図１１Ｂ】第５実施形態における携帯端末の動作を説明するフローチャート。
【図１２】第５実施形態における携帯端末で表示される内容の例を示す図。
【発明を実施するための形態】
【００１１】
以下に、本発明の好ましい実施の形態を、添付の図面に基づいて詳細に説明する。
【００１２】
＜第１実施形態＞
以下、図１〜５を参照して、本発明の第１の実施形態による無線端末装置について説明する。図１Ａは、第１の実施形態の電池認証機能を備えた電子機器（無線端末装置）の一例である撮像装置の構成を示すブロック図である。また、図１Ｂ（ａ）は、撮像装置の通信対象装置（対向装置）である電子機器（無線端末装置）の一例としての携帯端末の構成を示すブロック図である。なお、図１Ｂ（ｂ）に、第１実施形態による通信システムの構成を示す。
【００１３】
図１Ｂ（ｂ）に示されるように、本実施形態の通信システムは撮像装置１００と携帯端末３００とが、たとえば無線通信を介して接続されている。撮像装置１００は、電池により駆動が可能であり、電池認証を行う電子機器の一例である。また、携帯端末３００は、外部装置としての撮像装置１００と、無線通信により接続される電子機器の一例である。
【００１４】
まず、撮像装置１００の構成について図１Ａを参照して説明する。光学ユニット１０１は、ズームレンズ、フォーカスレンズおよび絞りと、それらを駆動するモータおよびアクチュエータやドライバ回路を備える。撮像素子１０２は、被写体を示す画像光を受光面に結像して光電変換する。撮像ドライバ１０３は、撮像素子１０２を駆動し、光電変換された画素毎の電荷を転送させることにより、撮像素子１０２から撮像信号を出力させる。アンプ１０４は、撮像素子１０２から出力された撮像信号を相関二重サンプリング処理によってノイズ除去を行った後に増幅する。Ａ／Ｄコンバータ１０５は、アンプ１０４により増幅された撮像信号をデジタル変換して画像データを生成する。
【００１５】
画像データ処理回路１０６は、入力された画像データに対して、マトリックス演算処理、ホワイトバランス調節、ガンマ処理などの各種画像処理を施す。フレームメモリ１０７は、画像データ処理回路１０６で処理された画像データを一時的に記憶する。圧縮伸長処理回路１０８は、フレームメモリ１０７を用いて、画像データの圧縮あるいは伸張を行う。メモリカード１０９は画像ファイルを記録する。リードライト回路１１０は、メモリカード１０９に対し、圧縮伸長処理回路１０８により圧縮された画像ファイルの書き込み、あるいは読み出しを行う。画像特徴抽出回路１１６は、画像情報の特徴を抽出する。画素感度算出回路１１７は、撮像素子１０２で得られる画像情報の画素毎の適正な感度を算出する。
【００１６】
オートフォーカス回路（以下、ＡＦ回路１１１）は、フレームメモリ１０７に記憶された測距領域に対応する画像データに基づいて焦点距離を検出する。オートエクスポージャー回路（以下、ＡＥ回路１１２）は、フレームメモリ１０７に記憶された測光領域に対応する画像データに基づいて被写体輝度を測定し、測光値から絞り値、露出時間、図示しないストロボを発光させるか否かの露出条件を演算により求める。オートホワイトバランス回路（以下、ＡＷＢ回路１１３）は撮影時のホワイトバランスを自動調整する。
【００１７】
電池１１８は、撮像装置１００に対して装着、取り出しが可能であり、装着時には撮像装置１００の各部へ電力を供給する。電池認証部１１５は、撮像装置１００に装着された電池１１８と通信し、電池認証を実行する。電池蓋検出部１１４は、電池１１８が挿入される電池収納Ｂｏｘの蓋（不図示）の開閉を検出する。なお、電池認証部１１５と電池１１８との通信としてはシリアル通信などが例に挙げられる。また、電池１１８の認証結果はたとえばメモリ１２４内に記憶される。なお、電池認証では、挿入されている電池のメーカー、タイプ、シリアル番号等が確認される。
【００１８】
ＣＰＵ１２０は、たとえば、メモリ１２４に格納されたプログラムを実行することにより、撮像装置１００における各種制御を実現する。無線通信部１２１は、画像データなど各種データを外部装置と通信するための制御を行う。無線通信部１２１は、たとえばメモリ１２４に記録されている端末情報を元に、無線通信の対向機である外部装置と各種データなどの送受信を実施する。
【００１９】
表示部１２２は、たとえば液晶表示器で構成され、再生画像を表示する他、撮影モードの際には被写体確認用のスルー画像を表示して電子ビューファインダとしても機能する。操作部１２３は、電源ボタン、レリーズボタン、モード切替ダイヤルなどを含む。メモリ１２４は、例えば絞り値、シャッタースピード等の露出に関わる設定値や、無線通信のための端末情報等を記録する。上述のように、ＣＰＵ１２０が実行するプログラムがメモリ１２４に格納されていてもよい。
【００２０】
図１Ｂ（ａ）は、撮像装置１００の対向機となる電子機器の一例としての携帯端末３００の構成を示すブロック図である。携帯端末３００において、ＣＰＵ３２０は、たとえばメモリ３２４に格納されているプログラムを実行することにより携帯端末３００の各種動作を実現する。無線通信部３２１は、外部装置（たとえば撮像装置１００）との無線通信を実現する。表示部３２２は、たとえば液晶表示器で構成され、ＣＰＵ３２０の制御下で、携帯端末３００における種々の表示を行う。操作部３２３は、ユーザ操作を受け付けて、操作信号をＣＰＵ３２０へ提供する。操作部３２３は、タッチパネル等で構成されてもよい。メモリ３２４は、ＣＰＵ３２０が実行するプログラムや各種データを格納するとともに、ＣＰＵ３２０の作業エリアを提供する。
【００２１】
図１Ａ、図１Ｂでは、無線端末装置の例としてデジタルカメラ（撮像装置１００）を例に挙げて説明した。しかしながら、本発明はこれに限定されるものではなく、例えば、スマートフォンなど、電池による駆動が可能であり、電池認証の機能および無線機能を備えた電子機器であれば良い。また、撮像装置１００の対向機として携帯端末の例を説明したが、本発明はこれに限られるものではなく、無線通信機能を備えた電子機器であればよい。もちろん、携帯型に限られるものでもない。
【００２２】
次に、図２を用いて、撮像装置１００におけるＣＰＵ１２０と電池認証部１１５と無線通信部１２１の詳細を説明する。撮像装置１００内のＭａｉｎ基板上にはＣＰＵ１２０、電池認証部１１５、Ｓｕｂ基板上には無線通信部１２１がそれぞれ搭載され、Ｍａｉｎ基板とＳｕｂ基板はフレキシブル基板などを介して接続された構成となっている。Ｍａｉｎ基板上のＣＰＵ１２０内には、無線通信部１２１と接続して電池認証結果など各種情報を通信するための情報制御部１９１が搭載されている。
【００２３】
また、Ｓｕｂ基板上の無線通信部１２１内には、Ｍａｉｎ基板上の情報制御部１９１との通信や対向機（たとえば、携帯端末３００）との無線通信を制御するための無線通信制御部２１０と、対向機と無線信号を送受するためのアンテナ部２１１とを備える。無線通信制御部２１０の例として、本実施形態ではＢｌｕｅｔｏｏｔｈ（登録商標）の通信方式を用いるものとする。アンテナ部２１１は、チップアンテナやパターンアンテナが例としてあげられる。
【００２４】
無線通信制御部２１０には、情報制御部１９１と電池認証の結果など各種情報を通信するための情報制御部２１２が搭載されている。情報制御部１９１、２１２間の通信は例えばシリアル通信などで制御される。さらに、無線通信部１２１の各種情報を記憶しておくためのＲＯＭ２１３と、情報制御部２１２で受信した各種情報やＲＯＭ２１３に記憶されている情報を展開し、一時的に情報を記憶しておくためのＲＡＭ２１４とが、無線通信制御部２１０に接続されている。
【００２５】
電源供給はメインバッテリとなる電池１１８からＭａｉｎ基板、Ｓｕｂ基板のそれぞれに供給され、それぞれ独立して動作することが可能な構成となっている。なお、上記の構成は一例であり、これら構成に関する内容は上記に限定されるものではなく、適宜変更が可能である。例えば、アンテナは無線通信部１２１に構成されている必要はなく、リード線でアンテナラインを引き延ばし、無線通信部１２１とは別な場所に配置する構成でもよい。
【００２６】
図３Ａに第１実施形態における撮像装置１００の動作を説明するフローチャートを、図３Ｂに第１実施形態における携帯端末３００の動作を説明するフローチャートを示す。以下、図３Ａ、図３Ｂのフローチャートに従って、第１実施形態による撮像装置１００と携帯端末３００による動作（特に、携帯端末３００から撮像装置１００を起動する動作）を説明する。
【００２７】
Ｓ１０１において、ユーザが撮像装置１００に、メインバッテリとなる電池１１８を挿入する。電池１１８が挿入されると、電池１１８からＭａｉｎ基板およびＳｕｂ基板のそれぞれに電力が供給され、ＣＰＵ１２０が起動するとともに、Ｓ２０１にてＳｕｂ基板上の無線通信制御部２１０が起動する。Ｓ１０２において、ＣＰＵ１２０は、無線通信制御部２１０の制御プログラム（ドライバ）をメモリ１２４から読み出し、情報制御部１９１を介して無線通信制御部２１０内の情報制御部２１２に送信する。また、Ｓ１０３において、電池認証部１１５は電池１１８と通信して、挿入された電池１１８の認証（電池認証）を実施する。Ｓ２０２では、無線通信制御部２１０が、情報制御部２１２で受信した制御プログラムをＲＡＭ２１４に展開し、これを実行することによって無線通信の動作を開始する。
【００２８】
Ｓ１０４において、ＣＰＵ１２０は、Ｓ１０３で電池認証部１１５が実施した電池１１８の認証結果を確認する。電池の認証に失敗した場合（Ｓ１０４でＮＯ）は、処理はＳ１０５へ進み、ＣＰＵ１２０はメモリ１２４の電池の認証情報を更新する。他方、電池の認証が成功している場合（Ｓ１０４でＹＥＳ）は、処理はＳ１０６に進む。Ｓ１０６において、ＣＰＵ１２０は、情報制御部１９１を介して無線通信部１２１に電池認証の結果を通知する。なお、電池認証の結果には、電池認証の成否と、電池が正規品か否かの情報が含まれる。
【００２９】
なお、本実施形態では撮像装置のメモリ１２４に電池の認証情報を記憶するようにしているが、電池の認証情報記憶用に例えばフリップフロップなどを別途搭載し、電池の認証情報を記憶する構成でもよい。また、上記のフローチャートでは、電池認証に失敗した場合にメモリ１２４の認証結果を更新したが、電池認証に成功した場合に更新するようにしてもよいし、成功／失敗のそれぞれの状態を認証情報として記録するようにしてもよい。その後、ＣＰＵ１２０は停止して電源ＯＦＦ状態となり、ユーザによる電源ボタンの操作あるいは無線通信部１２１からの起動信号の受信までこの状態を維持する。
【００３０】
Ｓｕｂ基板側の無線通信制御部２１０は、ステップＳ２０３において、情報制御部２１２で受信した電池の認証結果をＲＯＭ２１３に保存する。Ｓ２０４で、無線通信制御部２１０は、ビーコンの出力を開始し、ステップＳ２０５で、外部装置である対向機からのリクエスト信号の受信待ち状態になる。
【００３１】
対向機である携帯端末３００において、ユーザが撮像装置１００と通信するためのアプリケーションを立ち上げると、図３Ｂに示されるような撮像装置１００に対する起動処理が実行される。Ｓ３０１において、ＣＰＵ３２０はアプリケーションを起動する。起動されたアプリケーションは、撮像装置１００との通信を開始するためのユーザ指示を受け付けることができる。アプリケーションの起動に応じて、または、該アプリケーションの起動後に撮像装置１００との通信を開始するユーザ指示を受け付けると、Ｓ３０２で、ＣＰＵ３２０は、リクエスト信号を、無線通信部３２１を介して撮像装置１００に送信する。なお、リクエスト信号は、撮像装置１００からのビーコン信号に応じて送信され、撮像装置１００との通信（接続）を開始するための手順が実行される。撮像装置１００は、電源ＯＦＦの状態にある場合には、このリクエスト信号の受信に応じて電源ＯＮの状態となり、起動する。
【００３２】
撮像装置１００の無線通信制御部２１０は、Ｓ２０５において、携帯端末３００から送信されたリクエスト信号を受信したか否かを判定する。撮像装置１００の無線通信部１２１が対向機である携帯端末３００の無線通信部３２１から送信されたリクエスト信号を受信すると（Ｓ２０５でＹＥＳ）、処理はＳ２０６へ進む。Ｓ２０６において、無線通信制御部２１０は、情報制御部２１２を介して、ＣＰＵ１２０の情報制御部１９１にシステムを起動する旨の信号（起動信号）を送信する。
【００３３】
その後、Ｓ２０７及びＳ３０３において、撮像装置１００の無線通信部１２１と、リクエスト信号の送信元である携帯端末３００の無線通信部３２１とが、相互の無線通信の接続を確立する。無線通信の接続が確立されると、Ｓ２０８において、無線通信制御部２１０は、ＲＯＭ２１３に記憶されている電池の認証結果を対向機である携帯端末３００に送信する。こうして、ＣＰＵ１２０は、リクエストを受信したことに応じて、電池認証部１１５による電池認証の結果を外部装置である携帯端末３００へ無線通信部１２１を介して送信する。なお、本実施形態では、電池の認証において、装着された電池が正規品か否かのチェックを行い、その結果を電池の認証結果に含めるものとする。本実施形態では、電池認証に成功する場合は必ずその電池は正規品であり、電池認証に失敗した場合には電池が正規品である場合と非正規品である場合があるものとする。したがって、本実施形態では、電池の認証結果は、「電池認証に成功した」、「正規品であり、且つ、電池認証に失敗した」、「非正規品である」の３とおりであるとする。
【００３４】
携帯端末３００においては、無線通信の接続が確立されると（Ｓ３０３）、Ｓ３０４において、ＣＰＵ３２０は撮像装置１００が送信した電池認証結果を受信する。そして、ＣＰＵ３２０は、受信した電池認証結果に応じた画面を表示部３２２に表示する表示制御を実行する（Ｓ３０５〜Ｓ３０９）。図４を用いて、撮像装置１００の対向機である携帯端末３００の表示部３２２に表示される内容を説明する。電池の認証結果が、「電池認証に成功した」ことを示す場合、処理はＳ３０５からＳ３０６へ進む。Ｓ３０６において、携帯端末３００のＣＰＵ３２０は、図４（ａ）のように電池認証に成功した旨の表示を表示部３２２に表示し、撮像装置１００で動作を選択するようにユーザに報知する。電池の認証結果が「正規品であり、且つ、電池認証に失敗した」ことを示す場合、処理はＳ３０７からＳ３０８へ進む。Ｓ３０８において携帯端末３００のＣＰＵ３２０は、図４（ｂ）のように電池認証に失敗した旨を表示部３２２に表示し、撮像装置１００に挿入された電池を交換するようにユーザに報知する。電池認証の結果が、「非正規品である」ことを示す場合、処理はＳ３０７からＳ３０９へ進む。Ｓ３０７において、ＣＰＵ３２０は、図４（ｃ）のように電池が正規品ではない旨を表示部３２２に表示し、撮像装置１００において動作を選択するようにユーザに報知する。
【００３５】
他方、Ｓ２０６で無線通信部１２１から送信された起動信号を情報制御部１９１が受信すると、ＣＰＵ１２０の起動制御が実行される（Ｓ１２０）。起動制御では、携帯端末３００からのリクエストの受信に応じて撮像装置１００を起動し、電池認証の結果に基づく動作が実行される。本実施形態の撮像装置１００の起動制御について以下に説明する。ＣＰＵ１２０は、起動信号により起動されると、まず、Ｓ１２１において、Ｓ１０３で実施した電池認証の結果をメモリ１２４内の認証情報を参照して確認する。認証情報が「電池認証に成功した」ことを示す場合、処理はＳ１２２からＳ１２５へ進み、ＣＰＵ１２０は図５（ａ）のようなモード選択画面を表示部１２２に表示する。ユーザは操作部１２３を操作して、モード選択画面から所望の動作モードを選択することができる。その後、ＣＰＵ１２０は、選択された動作モードへ撮像装置１００の動作を移行する。
【００３６】
認証情報が、「正規品の電池であり、電池認証に失敗した」ことを示す場合は停止動作を実行するべく、処理はＳ１２３からＳ１２６へ進む。Ｓ１２６では、ＣＰＵ１２０は動作を停止して、電源ＯＦＦ状態へ移行する。このように、「正規品の電池であり、電池認証に失敗した」場合は、ＣＰＵ１２０は電池認証の結果を確認した後、直ちにＯＦＦとなる。そのため、表示部１２２には図５（ｂ）のように何も表示されていない。なお、Ｓ２０３でＲＯＭ２１３に保存された電池認証結果が「正規品の電池であり、電池認証に失敗した」ことを示す場合には、Ｓ２０６において起動信号を出力しないようにしてもよい。その場合、外部装置からは撮像装置１００を起動できず、電源ボタンの操作によって起動（電源ＯＮ）されることになる。こうして撮像装置１００が起動された場合には、たとえば、「正規品の電池であり、電池認証に失敗した」ことを所定時間だけ警告表示した後、電源ＯＦＦへ移行するようにする。
【００３７】
また、認証情報が「非正規品である」ことを示す場合、処理はＳ１２３からＳ１２４へ進む。Ｓ１２４では図５（ｃ）のような動作指示入画面を表示部１２２に表示し、ユーザによる動作の継続／電源ＯＦＦの指示を待つ。ユーザは撮像装置１００の操作部１２３を操作して、撮像装置１００の動作を継続するか電源をＯＦＦして動作を中止するかを選択する。ユーザが「継続」を選択した場合、処理はＳ１２４からＳ１２７へ進み、図５（ａ）のような動作モード選択画面を表示部１２２上に表示し、ユーザにより指定された動作モードへ移行する。他方、ユーザが「電源ＯＦＦ」を選択した場合、処理はＳ１２４からＳ１２８へ進み、撮像装置１００を電源ＯＦＦの状態へ移行する。
【００３８】
以上、第１実施形態では自装置内に挿入された電池の認証結果を対向機の表示部上に表示することで、自装置の電池の認証結果を対向機でも確認することができ、利便性を向上させることが可能となる。
【００３９】
＜第２実施形態＞
以下、図６〜７を参照して、本発明の第２の実施形態による無線端末装置に関して説明する。基本的な構成は第１の実施形態と同じであるため、第１実施形態との差異を主として説明する。第１実施形態では、撮像装置１００との接続を要求した携帯端末３００において、撮像装置１００における電池認証の結果を確認できるようにした構成を説明した。第２実施形態では、撮像装置１００内に挿入された電池１１８の認証結果を対向機である携帯端末３００の表示部３２２上で確認できるようにするとともに、撮像装置１００の起動時の動作モードをユーザに指定させるためのユーザインターフェースを提供する。これにより、携帯端末３００側で撮像装置１００の動作モードを選択できるようにして、さらに利便性を向上させる。
【００４０】
図６Ａ、図６Ｂは、第２実施形態による撮像装置１００および携帯端末３００の動作を説明するフローチャートである。なお、第１実施形態と同様の処理を行うステップには、第１実施形態（図３Ａ、図３Ｂ）と同一のステップ番号を付してある。また、図７は、携帯端末３００の表示部３２２に表示される画面表示例を示す図である。以下、図６Ａ、図６Ｂのフローチャートおよび図７の画面表示例を参照して説明する。
【００４１】
携帯端末３００と撮像装置１００との無線通信の接続が確立されると（Ｓ２０７、Ｓ３０３）、携帯端末３００のＣＰＵ３２０は、Ｓ３０４において、撮像装置１００が送信した電池認証結果を受信する。その後、ＣＰＵ３２０は、受信した電池認証結果に応じた画面を表示部３２２に表示する。
【００４２】
すなわち、電池の認証結果が、「電池認証に成功した」ことを示す場合は、処理はステップＳ３０５からＳ３０６ａへ進み、ＣＰＵ３２０は図７（ａ）のように電池認証に成功した旨を表示部３２２に表示する。その後、処理はＳ３０６ａからＳ３０６ｂへ進み、ＣＰＵ３２０は、図７（ｂ）に示すように、撮像装置１００の動作モードを選択する画面を表示部３２２に表示し、ユーザに撮像装置１００の動作モードを選択させる。この動作モード選択画面からユーザにより選択された動作モードは、Ｓ３１２において、動作モード選択信号として撮像装置１００へ送信される。したがって、ユーザは、携帯端末３００から撮像装置１００の起動時の動作指示を行うことができる。
【００４３】
また、電池認証結果が「正規品であり、且つ、電池認証に失敗した」ことを示す場合、処理はＳ３０７からＳ３０８ａへ進む。Ｓ３０８ａでは、ＣＰＵ３２０は、図７（ｃ）のように電池認証に失敗した旨を表示部３２２に表示する。その後、Ｓ３０８ｂにおいて、ＣＰＵ３２０は、撮像装置１００に挿入された電池を交換するようにユーザに報知する警告文を表示部３２２に表示する。なお、この場合、電源ＯＦＦの指示が動作モード選択信号として設定される。これにより、後述するように、電池１１８の電池認証結果が「正規品であり、且つ、電池認証に失敗した」ことを示す場合に、動作モード選択信号を受け取ったＣＰＵ１２０は直ちに電源ＯＦＦ状態へ移行する。
【００４４】
また、電池認証の結果が、「非正規品である」ことを示す場合、処理はＳ３０７からＳ３０９ａへ進み、ＣＰＵ３２０は、図７（ｅ）に示されるように電池が正規品ではない旨を表示部３２２に表示する。その後、Ｓ３０９ｂにおいて、ＣＰＵ３２０は、図７（ｆ）のように、撮像装置１００の動作（動作を「継続」するか「電源ＯＦＦ」するか）を選択するための画面を表示部３２２に表示する。ここで「継続」が選択されると、処理はＳ３１０からＳ３１１へ進み、ＣＰＵ３２０は、図７（ｂ）に示されるような、撮像装置１００の動作モードを選択するための画面を表示部３２２に表示し、ユーザに動作モードを選択させる。この処理は、Ｓ３０６ｂと同様である。そして、ユーザが動作モードを選択すると、選択された動作モードが動作モード選択信号に設定され、処理はＳ３１２へ進む。他方、図７（ｆ）の画面で「電源ＯＦＦ」が選択されると、電源ＯＦＦの指示が動作モード選択信号に設定され、処理はＳ３１２へ進む。Ｓ３１２において、ＣＰＵ３２０は、携帯端末３００において選択した動作モードあるいは電源ＯＦＦを示す動作モード選択信号を無線通信部３２１を介して撮像装置１００へ送信する。
【００４５】
一方、撮像装置１００の無線通信部１２１は、Ｓ２１１において、携帯端末３００の無線通信部３２１から送信された動作モード選択信号を受信すると、これをＣＰＵ１２０へ送信する。ＣＰＵ１２０は、Ｓ２０６において無線通信部１２１から送信された起動信号により起動され（Ｓ１２０）、携帯端末３００から動作モード選択信号が受信されるのを待つ（Ｓ１３１）。そして、Ｓ２１１において無線通信部１２１から動作モード選択信号が受信されると、ＣＰＵ１２０は、動作モード選択信号によって示される動作モードへ移行する。こうして、撮像装置１００は、対向機である携帯端末３００で選択された動作モードへ移行する。
【００４６】
また、受信した動作モード選択信号において動作モードが選択されていない場合、或いは、ＣＰＵ１２０が起動してから所定時間が経過しても動作モード選択信号を受信しなかった場合は、処理はＳ１３１からＳ１２１へ進む。Ｓ１２１〜Ｓ１２８では、第１実施形態で説明したように、撮像装置１００の側での動作モードまたは電源ＯＦＦの選択が行われる。
【００４７】
以上のように、第２実施形態では、撮像装置１００内に挿入された電池１１８の認証結果を対向機である携帯端末３００の表示部３２２上で確認することができ、さらに携帯端末３００側で撮像装置１００の動作モードを選択できる。このため、利便性を向上させることが可能となる。
【００４８】
＜第３実施形態＞
以下、図８、図９を参照して、第３実施形態による撮像装置に関して説明する。基本的な構成は第２実施形態と同様であるため、以下では主として第２実施形態との差異を説明する。第２実施形態では、対向機である携帯端末３００側で選択された撮像装置１００の動作モードに応じて、撮像装置１００におけるＣＰＵ１２０の起動動作を切り替えることで、撮像装置１００の待機電力を低減する構成を説明する。
【００４９】
図８に第３実施形態における、撮像装置１００の動作を説明するフローチャートを示す。以下、図８のフローチャートに従って第３実施形態による撮像装置１００の動作を説明する。なお、図８において、第２実施形態（図６Ａ）と同様の処理を行うステップには同一のステップ番号を付してある。また、携帯端末３００の動作は、第２実施形態（図６Ｂ）と同様であるので、図示を省略する。
【００５０】
携帯端末３００からリクエスト信号が送信されると（Ｓ３０２）、無線通信制御部２１０がこれを受信すると（Ｓ２０５でＹＥＳ）、処理はＳ２０７へ進み、撮像装置１００と携帯端末３００の相互の接続が確立される。このとき、ＣＰＵ１２０への起動信号の出力は実行されず、ＣＰＵ１２０は依然として停止した状態（電源ＯＦＦの状態）となっている。
【００５１】
次に、携帯端末３００におけるユーザ操作に応じて携帯端末３００から動作モード選択信号が送信されると（Ｓ３０５〜Ｓ３１２）、Ｓ２１１において撮像装置１００の無線通信部１２１がこれを受信する。無線通信部１２１は、受信した動作モード選択信号を起動信号としてＣＰＵ１２０へ送信する。ＣＰＵ１２０は、起動信号と同時に動作モード選択信号を無線通信部１２１から受け取ることになる。
【００５２】
撮像装置１００の情報制御部１９１で起動信号が受信されると、Ｓ１２０でＣＰＵ１２０が起動する。ＣＰＵ１２０は起動すると直ちに起動信号として送信されている動作モード選択信号によって示される動作モードを判定し、動作モード選択信号によって示される動作モードへ移行する（Ｓ１４１）。このように、第３実施形態では、携帯端末３００で動作モードが選択されて、撮像装置１００が動作モード選択信号を受信するまでは、ＣＰＵ１２０は起動しないので、撮像装置１００の待機電力を低減することができる。
【００５３】
なお、動作モード選択信号として「電源ＯＦＦ」が設定されていた場合には、ＣＰＵ１２０はそのまま電源ＯＦＦの状態へ移行する。なお、Ｓ２１１において、動作モード選択信号が「電源ＯＦＦ」を示す場合には、無線通信部１２１が動作モード選択信号（起動信号）をＣＰＵ１２０に送信しないようにしてもよい。このようにすれば、電源ＯＦＦの指示にもかかわらずＣＰＵ１２０が起動され、直ちに電源ＯＦＦへ移行するという動作を回避できる。
【００５４】
図９は、第３実施形態による撮像装置１００の表示部１２２における画面表示例を示す図である。ＣＰＵ１２０の起動前は、図９（ａ）のようにＣＰＵ１２０が電源ＯＦＦされているため、表示部１２２には何も表示されていない。その後、携帯端末３００において動作モードが選択され（Ｓ３０６ｂやＳ３１１）、動作モード選択信号が送信され（Ｓ３１２）、ＣＰＵ１２０が起動されたとする。その場合、図９（ｂ）のように、ＣＰＵ１２０は、無線通信部１２１で受信した動作モード選択信号によって指定されている動作モードへ移行する旨を表示部１２２上に表示する。それに対し、携帯端末３００で動作モードが選択されなかった場合、無線通信部１２１から送信される動作モード選択信号は電源ＯＦＦを示すか、無線通信部１２１から動作モード選択信号が送信されない。そのため、ＣＰＵ１２０は起動しても直ちに停止する（電源ＯＦＦ状態となる）か、起動されないままとなる。そのため、図９（ｃ）のように何も表示されていない状態が継続する。
【００５５】
以上、第３実施形態では対向機である携帯端末３００側で選択された動作モードに応じて撮像装置１００のＣＰＵ１２０の起動動作を切り替える。このため、撮像装置１００の待機電力を低減することが可能となる。
【００５６】
＜第４実施形態＞
次に、第４実施形態による撮像装置１００および携帯端末３００に関して説明する。基本的な構成は第１〜３実施形態と同様である。第４実施形態では、第３実施形態と同様に、携帯端末３００側で選択された動作モードに応じて、撮像装置１００におけるＣＰＵ１２０の起動動作を切り替えることで、撮像装置１００の待機電力の低減を図る。ただし、第３実施形態では、電池の挿入に応じて直ちに電池認証を実行したが、第４実施形態では、電池の挿入後、対向機である携帯端末３００からのリクエスト信号を待って電池認証を実行する。図１０は、第４実施形態による撮像装置１００の動作を示すフローチャートである。なお、携帯端末３００の動作は、第２実施形態（図６Ｂ）と同様である。
【００５７】
ユーザが撮像装置１００に、メインバッテリとなる電池１１８を挿入する。電池１１８が挿入されると、電池１１８からＭａｉｎ基板およびＳｕｂ基板のそれぞれに電力が供給され、ＣＰＵ１２０が起動するとともに、Ｓ２０１にてＳｕｂ基板上の無線通信制御部２１０が起動する。Ｓ１０２において、ＣＰＵ１２０は、無線通信制御部２１０の制御プログラム（ドライバ）をメモリ１２４から読み出し、情報制御部１９１を介して無線通信制御部２１０内の情報制御部２１２に送信する。その後、ＣＰＵ１２０は停止し（電源ＯＦＦの状態となり）、無線通信部１２１からの起動信号の受信あるいはユーザによる電源ボタンの操作により電源がオンされるのを待つ。Ｓ２０２では、無線通信制御部２１０が、情報制御部２１２で受信した制御プログラムをＲＡＭ２１４に展開し、これを実行することによって無線通信の動作を開始する。その後、Ｓ２０４にてビーコンの出力を開始する。第４実施形態では、この時点で、電池認証は実行されていない。
【００５８】
対向機である携帯端末３００において、ユーザが、撮像装置１００と通信するためのアプリケーションを立ち上げると、Ｓ３０１においてＣＰＵ３２０はそのアプリケーションが起動する。ユーザが撮像装置１００との通信開始を指示すると、Ｓ３０２において、ＣＰＵ３２０は、撮像装置１００を起動させるためのリクエスト信号を、無線通信部３２１を介して撮像装置１００に送信する。
【００５９】
撮像装置１００では、Ｓ２０５において無線通信部１２１が携帯端末３００から送信されたリクエスト信号を受信する。無線通信制御部２１０においてリクエスト信号が受信されると、処理はＳ２０５からＳ２２１へ進む。Ｓ２２１において、無線通信制御部２１０は情報制御部２１２を介して、撮像装置１００のＣＰＵ１２０の情報制御部１９１にシステムを起動する旨の信号（起動信号）を送信する。情報制御部１９１で起動信号が受信されると、撮像装置１００のＣＰＵ１２０が起動し、電池認証を実行し、その認証結果を記録するとともに無線通信部１２１に通知する（Ｓ１０３〜Ｓ１０６）。その後、ＣＰＵ１２０は再び停止する（電源ＯＦＦ）。電池認証結果を受信した情報制御部２１２は、Ｓ２０３において、受信した電池の認証結果をＲＯＭ２１３に保存する。その後の、撮像装置１００の動作（Ｓ２０７、Ｓ２０８、Ｓ２１１、Ｓ１２０、Ｓ１４１）、携帯端末３００の動作は第３実施形態と同様である。なお、無線通信部１２１から起動信号を受け付ける前にユーザが電源ボタンを操作して電源投入を行った場合は、ＣＰＵ１２０が直ちに起動して、Ｓ１０３以降の処理を実行し、引き続き第１実施形態（図３Ａ）のＳ１２１〜Ｓ１２８の動作を実行することになる。
【００６０】
以上、第４実施形態では、第３実施形態と同様に、対向機側である携帯端末３００で選択された動作モードに応じてＣＰＵ１２０の起動動作を切り替える。このため、撮像装置１００のＣＰＵ１２０が携帯端末３００により動作モードが選択されるのを起動状態で待つことが不要となり、待機電力を低減することが可能となる。
【００６１】
＜第５実施形態＞
次に、第５実施形態による撮像装置１００および携帯端末３００について説明する。なお、基本的な構成は第１〜４実施形態と同様である。第５実施形態においても、第３、第４実施形態と同様に携帯端末３００側で選択された自装置の動作モードに応じてＣＰＵの起動動作を切り替えることで、自装置の待機電力を低減する。第５実施形態では、電池１１８を収納する電池蓋が閉じられたことの検出に応じてＭａｉｎ基板およびＳｕｂ基板への電力の供給を開始するようにしている。また、第５実施形態では、携帯端末３００において「電源ＯＦＦ」が選択された場合に、撮像装置１００のビーコン信号の停止を指示することを可能とし、さらに撮像装置１００の待機電力の低減を図る。図１１Ａは第５実施形態による撮像装置１００の動作を説明するフローチャート、図１１Ｂは第５実施形態による携帯端末３００の動作を説明するフローチャートである。また、図１２は、第５実施形態における携帯端末３００の画面表示例を示す図である。
【００６２】
Ｓ１０１では、ユーザが撮像装置１００に電池を挿入する。Ｓ１１３では、電池蓋検出部１１４が、電池蓋が閉じられたかどうかを確認する。電池蓋検出部１１４により電池蓋が閉じられたことが確認されると（Ｓ５０２でＹｅｓ）、メインバッテリとなる電池１１８からＭａｉｎ基板、Ｓｕｂ基板のそれぞれに電力が供給される。なお、電池蓋検出部１１４としては、電池蓋を閉じたときに電池１１８とＭａｉｎ基板およびＳｕｂ基板の各と電池１１８との間の電力ラインを接続するスイッチとして実現することができる。Ｍａｉｎ基板への電力供給によりＭａｉｎ基板上のＣＰＵ１２０が起動すると、Ｓ１０２〜Ｓ１０６が実行される。Ｓ１０２〜Ｓ１０６については、第１実施形態（図３Ａ）と同様である。一方、Ｓｕｂ基板への電力供給により、Ｓ２０１で無線通信制御部２１０が起動すると、Ｓ２０２〜Ｓ２１１が実行される。Ｓ２０２〜Ｓ２１１の動作は、第３実施形態（図８）と同様である。
【００６３】
対向機である携帯端末３００において、撮像装置１００と通信する機能を持つアプリケーションが起動され、ユーザから通信を開始する指示がなされると、携帯端末３００は撮像装置１００にリクエスト信号を送信し、撮像装置１００と接続する。その後、電池認証結果の通知を受信すると、受信した電池認証結果に応じて図７で説明したような画面を表示し、ユーザに動作モードを選択させる。以上の処理は図１１ＢのＳ３０１〜Ｓ３１２に示した処理であり、第２実施形態（図６Ｂ）と同様である。
【００６４】
第５実施形態の携帯端末３００では、Ｓ３１３において、動作モード選択信号に電源ＯＦＦが設定されているか否かを判定する。電源ＯＦＦが設定されていなければそのまま処理を終えるが、電源ＯＦＦが設定されている場合は、処理はＳ３１４へ進む。動作モード選択信号として電源ＯＦＦが設定される場合とは、第２実施形態で上述したように、
・電池認証結果が「正規品であり、且つ、電池認証に失敗した」ことを示す場合、
・非正規品で動作モードとして「電源ＯＦＦ」が選択された場合、のいずれかである。
【００６５】
Ｓ３１４において、ＣＰＵ３２０は、ユーザに撮像装置１００からのビーコンを停止するか否かを選択させるための表示を表示部３２２に行う。図１２は、そのようなビーコンの停止／継続の選択をユーザに行わせるための画面例を示す図である。撮像装置１００のビーコンを停止させることがユーザにより選択された場合（Ｓ３１４でＹｅｓ）、Ｓ３１５において、ＣＰＵ３２０は無線通信部３２１を介して、撮像装置１００の無線通信部１２１にビーコンを停止する命令を送信する。撮像装置１００の無線通信部１２１において、無線通信制御部２１０は、ビーコンを停止する命令を携帯端末３００から受信するとビーコンの出力を停止する（Ｓ２３１）。他方、図１２の画面においてビーコンの継続がユーザにより指定された場合は、Ｓ３１４からそのまま処理を終了する
以上、本実施形態では対向機側で選択された自装置の動作モードに応じてＣＰＵの起動動作を切り替えることで、自装置の待機電力を低減することが可能となる。また、電池認証結果が非正規品であった場合で携帯端末３００から撮像装置１００の電源ＯＦＦを指示した場合や、正規品で認証に失敗した場合に、無線通信部１２１のビーコンを停止させることが可能である。そのため、撮像装置１００による無駄なビーコン送信を防止でき、さらなる省電力を達成することができる。
【００６６】
＜その他の実施形態＞
以上、本発明の好ましい実施形態について説明したが、本発明はこれらの実施形態に限定されず、その要旨の範囲内で種々の変形及び変更が可能である。
【００６７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１Ａ】
0006553986.tif 000002
【図１Ｂ】
0006553986.tif 000003
【図２】
0006553986.tif 000004
【図３Ａ】
0006553986.tif 000005
【図３Ｂ】
0006553986.tif 000006
【図４】
0006553986.tif 000007
【図５】
0006553986.tif 000008
【図６Ａ】
0006553986.tif 000009
【図６Ｂ】
0006553986.tif 000010
【図７】
0006553986.tif 000011
【図８】
0006553986.tif 000012
【図９】
0006553986.tif 000013
【図１０】
0006553986.tif 000014
【図１１Ａ】
0006553986.tif 000015
【図１１Ｂ】
0006553986.tif 000016
【図１２】
0006553986.tif 000017